(57)【特許請求の範囲】
【請求項１】
潤滑剤濃縮物であって、
ａ．それぞれのアミン化合物が、次式
Ｒ1−Ｏ−Ｒ2−ＮＨ2
Ｒ1−Ｏ−Ｒ2−ＮＨ−Ｒ3−ＮＨ2
ここで、Ｒ1は直鎖の飽和または不飽和Ｃ6〜Ｃ18アルキル基、Ｒ2は直鎖または分岐Ｃ1〜Ｃ8アルキレン基、およびＲ3は直鎖Ｃ1〜Ｃ8アルキレン基で表わされるエーテルアミン化合物またはその混合物からなる群から選ばれた有効な潤滑量の１つまたはそれ以上のエーテルアミン化合物と、
ｂ．水で希釈されたときに前記エーテルアミン化合物を可溶化するのに有効な量の界面活性剤とを含み、
前記潤滑剤濃縮物の組成物が１０より高いｐＨを有する潤滑剤濃縮物。
【請求項２】
潤滑剤用溶液であって、
主要部分の水と、
それぞれのアミン化合物が、次式
Ｒ1−Ｏ−Ｒ2−ＮＨ2
Ｒ1−Ｏ−Ｒ2−ＮＨ−Ｒ3−ＮＨ2
ここで、Ｒ1は直鎖の飽和または不飽和Ｃ6〜Ｃ18アルキル基、Ｒ2は直鎖または分岐Ｃ1〜Ｃ8アルキレン基、およびＲ3は直鎖Ｃ1〜Ｃ8アルキレン基で表わされるエーテルアミン化合物またはその混合物からなる群から選ばれた約１０ｐｐｍから１０，０００ｐｐｍの１つまたはそれ以上のエーテルアミン化合物と、
前記アミン化合物を可溶化するのに有効な量の界面活性剤とを含み、
１０より高いｐＨを有する潤滑剤溶液。
【請求項３】
１つより多くのエーテルアミン化合物が前記潤滑剤濃縮物中に存在し、前記エーテルアミン化合物の少なくとも１つがジアミン化合物で、Ｒ1が直鎖Ｃ10〜Ｃ12アルキル基、直鎖Ｃ14〜Ｃ16アルキル基、およびその混合物からなる群から選択され、Ｒ2がＣ2〜Ｃ6アルキレン基、ならびにＲ3がＣ2〜Ｃ6アルキレン基である、請求項１または２に記載の組成物。
【請求項４】
コンベヤーシステムを潤滑する方法であって、
（ａ）潤滑剤濃縮物を水で希釈し、有効な潤滑量の１つまたはそれ以上のエーテルアミン化合物を含む前記請求項のいずれかに記載の水性潤滑剤を形成する工程であって、前記潤滑剤濃縮物中の前記アミン化合物のそれぞれが
Ｒ1−Ｏ−Ｒ2−ＮＨ2
Ｒ1−Ｏ−Ｒ2−ＮＨ−Ｒ3−ＮＨ2
およびその混合物からなる群から選択される式で表わされ、
Ｒ1が直鎖の飽和または不飽和Ｃ6〜Ｃ18アルキル基、Ｒ2が直鎖または分岐Ｃ1〜Ｃ8アルキレン基、およびＲ3が直鎖Ｃ1〜Ｃ8アルキレン基であり、前記潤滑剤濃縮物が希釈および使用されるときに前記潤滑剤濃縮物中にアミンを可溶化するのに有効な量の界面活性剤をさらに含む、工程と、
（ｂ）１０より高いｐＨを有する前記潤滑剤用溶液組成物を目的とする使用表面に塗布する工程と、
を包含する方法。
【発明の詳細な説明】
産業上の利用分野
本発明は、一般に、エーテルアミンをベースとした潤滑剤およびその使用方法に関する。特に、本発明は、アルカリ性ｐＨを有し、酸性の汚物の存在下で改良された潤滑性を有するエーテルアミンをベースとした潤滑剤に関する。
発明の背景
飲料品および他の食料品は、パッケージとコンベヤーの積載物支持表面との間の摩擦を低減するために潤滑された機械化コンベヤーシステム上で頻繁に処理および包装される。従来、これらのコンベヤーシステムの積載物支持表面上で一般に使用される潤滑剤は、通常、活性潤滑成分として脂肪酸石鹸を含んでいた。
さらに、少なくともボトル詰め作業中に、様々なタイプの容器（即ち、缶、グラスおよびＰＥＴ物品）を搬送するトラックを潤滑するのに潤滑剤が効果的であることが非常に望ましい。脂肪酸潤滑剤は、これらのタイプの容器のいずれに対しても効果的である。従って、これらの潤滑剤は、様々な飲料容器に応用される「普遍的な」潤滑剤である。
これらの脂肪酸潤滑剤は、従来から優れた潤滑性を提供してきた。しかし、脂肪酸潤滑剤はまた、一般に硬水に見出されるカルシウムおよびマグネシウムカチオンの存在下で不溶性沈殿物を形成することも知られている。このような沈殿物の形成を防止するために、水軟化剤およびＥＤＴＡなどの化学キレート剤が脂肪酸をベースとした潤滑剤と共に用いられなければならない。このような方策を怠ると、一般に沈殿物が形成され、潤滑剤をコンベヤーに適用するのに用いられるスプレーノズルを詰まらせる可能性がある。
抗菌剤は、食物を搬送し得るコンベヤーシステムに特に有用である。コンベヤー上に飲料品および他の食料品がこぼれると、多くの場合、細菌、酵母、およびカビが増殖し、ぬめりまたは汚れを形成する可能性がある。これらのぬめりまたは汚れは、コンベヤーの性能を阻害し、製品の清潔さおよび外観を損なう。抗菌剤は、食物を搬送し得るコンベヤーシステムにおけるぬめりの形成を低減するのに特に有用である。
脂肪酸をベースとした潤滑剤は、効果的な抗菌剤を用いて調製されている。しかし、硬水中のイオン（water hardness ions）と反応する傾向があるため、潤滑剤の性能全体が損われる。脂肪酸潤滑剤の代替物もまた開発されているが、これらの組成物もある欠点を有する。
例えば、Ｊａｎｓｅｎの米国特許第４，８３９，０６７号は、潤滑量の中和されたＣ12〜18第１級脂肪族アミンを含む抗菌性潤滑剤組成物を用いてコンベヤーベルトを処理することによって、チェーン型コンベヤーベルトを維持する方法を開示している。しかし、Ｊａｎｓｅｎに記載されているように、第１級脂肪族アミンは、水中に不純物として一般に見出されるＳＯ4-2、ＰＯ4-3およびＣＯ3-2などのアニオンの存在下で沈殿物を形成する傾向がある。この沈殿物は、硬水の存在下で脂肪酸石鹸と同様に、スプレーノズルを詰まらせ、コンベヤーシステムの表面を汚す可能性がある。
Ｓｃｈｍｉｄｔらの米国特許第５，１８２，０３５号は、物理安定性を向上させるために用いられるアルコール性ヒドロトロピー剤と組み合わせて潤滑剤組成物に用いられる、酢酸で中和された脂肪族エーテルジアミンを開示している。
Ｒｅｍｕｓの米国特許第５，５１０，０４５号および対応出願のＷＯ９５／２６３８９は、ガラス、アルミニウムおよびツーピースＰＥＴ容器と共に用いられるアミン潤滑剤組成物を開示している。潤滑剤組成物は、アミンの混合物、ヒドロトロピー剤、および８より高いｐＨを維持するためにアルカリ源を含む。
Ｗｅｂｅｒらの米国特許第５，０６２，９７８号はまた、特にボトルの搬送においてコンベヤーベルト操作に有用な中和脂肪族アルキルアミンをベースとした水性潤滑剤組成物を開示している。
Ｓｃｈａｐｉｒａの公開欧州特許出願第０，５３３，５２２Ａ１号は、水溶性および潤滑性を提供するために中和された分岐飽和または不飽和Ｃ6〜Ｃ21アルキルエーテルアミンおよびジアミンを含む潤滑剤組成物を開示している。潤滑剤組成物は、コンベヤー操作に有用であり、界面活性剤およびアルコール溶媒も含み得る。
脂肪族アミンは、十分な潤滑性および抗菌活性を提供することが見出されているが、その有用性は限定されている。なぜなら、水中に一般に見出されるアニオンの存在下で沈殿物を形成する傾向があるためである。
従って、コンベヤーシステムに適用される前に潤滑剤調製物を希釈するために用いられる水中で一般に見出されるアニオンおよびカチオンの両方に対して耐性を提供し、ビールなどの飲料がこぼれた場合でも優れた潤滑性を提供する抗菌性コンベヤー潤滑剤が依然として実質的に必要とされている。
発明の要旨
本発明の第１の局面によると、有効な潤滑量の１つまたはそれ以上のエーテルアミン化合物を含む潤滑剤濃縮物が提供される。各アミン化合物は、次式
Ｒ1−Ｏ−Ｒ2−ＮＨ2、
Ｒ1−Ｏ−Ｒ2−ＮＨ−Ｒ3−ＮＨ2
およびその混合物からなる群から選択され、
ここで、Ｒ1は直鎖または分岐の飽和または不飽和Ｃ6〜Ｃ18アルキル基、Ｒ2は直鎖または分岐Ｃ1〜Ｃ8アルキレン基、およびＲ3は直鎖または分岐Ｃ1〜Ｃ8アルキレン基である。組成物はまた、水で希釈されたとき、エーテルアミン化合物を溶解するのに有効な量の界面活性剤を含む。
請求の範囲に記載の発明の他の局面によると、主要部分の水（major portion of water）および約１０ｐｐｍから１００００ｐｐｍの１つまたはそれ以上のアミン化合物を含む潤滑剤用溶液が提供される。各アミン化合物は、次式
Ｒ1−Ｏ−Ｒ2−ＮＨ2、
Ｒ1−Ｏ−Ｒ2−ＮＨ−Ｒ3−ＮＨ2および
その混合物からなる群から選択され、
ここで、Ｒ1は直鎖または分岐の飽和または不飽和Ｃ6〜Ｃ18アルキル基、Ｒ2は直鎖または分岐Ｃ1〜Ｃ8アルキレン基、およびＲ3は直鎖または分岐Ｃ1〜Ｃ8アルキレン基である。潤滑剤用溶液はまた、アミン化合物を溶解するために用いられる界面活性剤を含む。
請求の範囲に記載されている発明の他の局面によると、次式
Ｒ1−Ｏ−Ｒ2−ＮＨ2、
Ｒ1−Ｏ−Ｒ2−ＮＨ−Ｒ3−ＮＨ2
ここで、Ｒ1は直鎖または分岐の飽和または不飽和Ｃ6〜Ｃ18アルキル基、Ｒ2は直鎖または分岐Ｃ1〜Ｃ8アルキレン基、およびＲ3は直鎖または分岐Ｃ1〜Ｃ8アルキレン基である：
およびその混合物からなる群から選択される１つまたはそれ以上のアミン化合物を含む潤滑剤用溶液を用いてコンベヤーシステムを潤滑する方法が提供される。潤滑剤用溶液はまた、アミン化合物を溶解するために用いられる界面活性剤、およびバランス量の水（balance of water）を含む。この方法は、潤滑剤用溶液を使用目的の表面に適用する工程を含む。
本発明は、それぞれが直鎖または分岐の飽和または不飽和アルキルエーテルアミンを含む、潤滑剤濃縮物および潤滑剤用溶液である。アルキルエーテルアミン化合物は、ｐＨが大抵の場合３から４以下である酸性ビールの汚物などのイオンや酸性飲料汚物が存在するにもかかわらず、水性の潤滑剤用溶液において潤滑性を促進する。
本発明によると、食物の汚れと潤滑剤用溶液との相互作用が低減されたことによりコンベヤーの汚れが低減される。本発明の組成物はまた、イオンを含んだ水に対してより大きな耐性を有する潤滑剤用溶液を提供する。さらに、本発明の潤滑剤用溶液はまた、食物に接触しない表面に対して細菌コロニー形成単位を５分以内に９９．９％減少させる抗菌効果を有する。
本発明では、「潤滑剤濃縮物」は、使用前に希釈される組成物を指す。「潤滑剤用溶液」は、一旦希釈されてから目的の表面に適用される潤滑剤組成物を指す。
好ましい実施態様の詳細な説明
本発明は、潤滑剤濃縮物、潤滑剤用溶液、および潤滑剤用溶液の使用方法に関する。潤滑剤濃縮物は、固体または液体であり得る。
本発明の潤滑剤濃縮物および潤滑剤用溶液は、潤滑性および抗菌特性を有し、使用環境下で頻繁に発生する様々な沈殿物の形成の少ない直鎖および分岐の飽和および不飽和アルキルエーテルアミン化合物を含む。
本発明の組成物は界面活性剤溶解剤を含み、また、他の構成成分として、抗菌剤およびアルカリ化剤も含み得る。本発明はまた、請求の範囲に記載される発明の使用方法も含む。
Ａ．アルキルエーテルアミン化合物
本発明の潤滑剤濃縮物および潤滑剤用溶液は、アミン化合物を含む。アミン化合物は、組成物の潤滑性、さらには抗菌特性を提供し、水による希釈および／または適用表面上の汚染物から生じる様々な沈殿物の形成を減少するかまたはなくする。
本発明のアミン化合物は、任意の数の種類のものを含み得る。好ましくは、アミン化合物は、以下の式：
Ｒ1−Ｏ−Ｒ2−ＮＨ2                  （１）
Ｒ1−Ｏ−Ｒ2−ＮＨ−Ｒ3−ＮＨ2      （２）
およびその混合物で表わされるアルキルエーテルアミン化合物であり、
ここで、Ｒ1は直鎖または分岐の飽和または不飽和Ｃ6〜Ｃ18アルキル基、Ｒ2は直鎖または分岐Ｃ1〜Ｃ8アルキレン基、およびＲ3は直鎖または分岐Ｃ1〜Ｃ8アルキレン基であり得る。
さらに好ましくは、Ｒ1は直鎖または分岐Ｃ12〜Ｃ16アルキル基、Ｒ2はＣ2〜Ｃ6直鎖または分岐アルキレン基、Ｒ3はＣ2〜Ｃ6直鎖または分岐アルキレン基である。
好ましくは、本発明の潤滑剤濃縮物および潤滑剤用溶液は、直鎖Ｃ6〜Ｃ18アルキルとして存在するＲ1を有する１つまたはそれ以上のアミン化合物を含む。Ｒ1が直鎖アルキル基である場合、潤滑剤濃縮物から得られる潤滑剤用溶液は、向上した潤滑性を提供する。
さらに好ましくは、本発明の潤滑剤濃縮物および潤滑剤用溶液は、９より大きいｐＨを有し、酸源が何も添加されず、Ｒ1が直鎖Ｃ6〜Ｃ18アルキル基である１つまたはそれ以上のアミン化合物を含む。
本発明の好ましい組成物は、Ｒ1がＣ12〜Ｃ16アルキル基、Ｒ2がＣ3アルキレン基、およびＲ3がＣ3アルキレン基である、式（２）の直鎖アルキルエーテルジアミン化合物を含む。
使用されるアミン化合物が式（１）および（２）のアミンである場合、Ｒ1はまた、直鎖もしくは分岐アルキルＣ12〜Ｃ16、または直鎖アルキルＣ10〜Ｃ12およびＣ14〜Ｃ16の混合物のいずれかであり得る。
概して、本発明の組成物に用いられる直鎖または分岐アルキルエーテルアミン化合物は、希釈されてより低い濃度で使用されるものの、高い潤滑性を有する。潤滑剤濃縮物におけるアミン化合物の量は、一般に、約０．１重量％から９０重量％、好ましくは約０．２５重量％から７５重量％、より好ましくは約０．５重量％から５０重量％の範囲である。これらの物質は、ＰＡ−１９、ＰＡ−１６１８、ＰＡ−１８１６、ＤＡ−１８、ＤＡ−１９、ＤＡ−１６１８、ＤＡ−１７、ＤＡ−１８１６等として、Ｔｏｍａｈ  Ｐｒｏｄｕｃｔｓ  Ｉｎｃｏｒｐｏｒａｔｅｄから市販されている。
更に具体的には、Ｔｏｍａｈ  ＤＡ−１６１８は、Ｃ12〜14直鎖アルキルオキシプロピル−１，３−ジアミノプロパン、Ｔｏｍａｈ  ＤＡ−１８は、Ｃ14直鎖アルキルオキシプロピル−１，３−ジアミノプロパン、Ｔｏｍａｈ  ＤＡ−１７は分岐Ｎ−イソトリデシルオキシプロピル−１，３−ジアミノプロパン、およびＴｏｍａｈ  ＰＡ−１９は直鎖アルキルオキシプロピルアミンである。
代表的なアルキルエーテルアミン化合物は、一般に、以下に示す式に従って、直鎖または分岐Ｃ12以上のアルキルアルコールおよびアクリルニトリルから調製され、エーテルアミンを提供する。
0004065031.tif 000002
ここで、Ｒ1は上記のように定義される。ジアミンは、以下の式に従って合成され得る。
0004065031.tif 000003
ここで、Ｒ1は上記のように定義される。
水による潤滑剤濃縮物の希釈は好ましくは、目的とする応用または使用における潤滑性をもたらすように計算された潤滑剤溶液を得る。従って、本発明の潤滑剤用溶液における活性なアミン化合物の濃度は、約１０ｐｐｍから１００００ｐｐｍ、好ましくは約３０ｐｐｍから５０００ｐｐｍ、より好ましくは約５０ｐｐｍから２０００ｐｐｍである。
Ｂ．界面活性剤
本発明の潤滑剤濃縮物および潤滑剤用溶液は、また界面活性剤を含む。界面活性剤は、ヒドロトロピー剤として作用して、水性の潤滑剤濃縮物および潤滑剤用溶液中にエーテルアミンを溶解し、相安定性を向上させる。界面活性剤はまた、潤滑剤用溶液における洗浄性を向上させる。本発明において界面活性剤として用いられ得る化合物は、特に非イオン性界面活性剤を含む。
非イオン界面活性剤は、一般に、実質的に電荷を帯びない疎水性化合物であり、分子中に酸素が存在することにより親水性の傾向を示す。非イオン界面活性剤は、広範囲なポリマー化合物を含み、これらのポリマー化合物は、限定はされないが、特にアルコキシル化アルキルフェノール類、アルコキシル化脂肪族アルコール類、アルコキシル化アミン類、アルコキシル化エーテルアミン類、カルボン酸エステル類、カルボン酸アミド類、ポリオキシアルキレンオキサイドブロックコポリマー類を含む。好ましくは、アルコキシ基は、エトキシ基またはプロポキシ基、および最も好ましくはエトキシ基である。
本発明の潤滑剤濃縮物および潤滑剤用溶液に特に適切な非イオン界面活性剤は、一般式Ｒ1（（ＣＨ2）mＯ）nを有し、Ｒ1が約８から約２４の炭素原子を有する脂肪族基であり、ｍが１から約５までの整数であり、ｎが分子上のエチレンオキシド基の平均数を示す１から約４０までの数である、アルコキシル化（好ましくは、エトキシ化）アルコール類である。
本発明において有用であることが見出されている非イオン界面活性剤は、Ｍａｃｏｎ  ９としてＳｔｅｐａｎ  Ｃｈｅｍｉｃａｌ  Ｃｏ．から入手できる約９．５モルがエトキシ化されたノニルフェノールエトキシレート類、およびＮｅｏｄｏｌ  ２５−９としてＳｈｅｌｌ  Ｃｈｅｍｉｃａｌ  Ｃｏｍｐａｎｙから入手できる約９モルがエトキシ化されたＣ12〜15直鎖アルコールエトキシレート類を含む。以下の反応式で合成されたエトキシ化エーテルアミンもまた有用である。
0004065031.tif 000004
一般に、潤滑剤濃縮物において、界面活性剤の濃度は、約０．１重量％から６６重量％、好ましくは約０．５重量％から５０重量％の範囲である。より好ましくは、界面活性剤の濃度は、約１から３０重量％の範囲である。
Ｃ．アルカリ源
一般に、本発明の潤滑剤濃縮物および潤滑剤用溶液は、アルカリ性ｐＨを有する。本発明の潤滑剤濃縮物は約１０以上、好ましくは約１０から１３の範囲のｐＨを有する。潤滑剤用溶液は、一般に、界面活性剤およびアミン化合物以外のアルカリ源を添加しない場合、約９．０より大きい、好ましくは約９．５から１３のｐＨを有する。しかし、潤滑剤濃縮物および潤滑剤用溶液のｐＨを低下させる他の添加物が潤滑剤濃縮物または潤滑剤用溶液に添加される場合、アルカリ源が添加され得る。
アルカリ源の一般的な特性は、この系内で溶解性を有する化学組成物のみに限定される。即ち、アルカリ源は、沈殿物または膜塩の形成を促進する金属イオンを与えてはならない。アルカリ源の例としては、珪酸塩、水酸化物、燐酸塩、炭酸塩およびアルカノールアミン類が挙げられる。
アルカリ源が存在すると、アルカリ源は、組成物のｐＨを所望のレベルまで引き上げるのに用いられ得る。その結果、アルカリ源の濃度は、アルカリ源のタイプおよび要求されるｐＨ増加によってかなり変化し得る。
Ｄ．抗菌剤
一般に、潤滑剤濃縮物および潤滑剤用溶液は、接触後５分以内に細菌のコロニー形成単位を９９．９％減少させる抗菌効果を有する。しかし、さらなる抗菌効果が所望される場合、本発明の潤滑剤濃縮物および潤滑剤用溶液はまた、１つまたはそれ以上の抗菌剤を含んでいてもよい。一般に、細菌効果を有する任意の固体または液体化学剤が本発明では用いられ得る。ｐＨ９以上で抗菌効果を供与することが知られている化学組成物としては、ヨー素担持化合物（iodophors）、フェノール類、および第四級アンモニウム化合物が挙げられる。
本発明で有用な好ましい抗菌物質は、Ｓｔｅｐａｎ  Ｃｈｅｍｉｃａｌ  Ｃｏｍｐａｎｙなどの製造業者から市販されているＮ−アルキル（Ｃ12〜18）ジメチルベンジルアンモニウムクロライド、Ｎ−アルキル（Ｃ14〜18）ジメチルベンジルアンモニウムクロライド、Ｎ−テトラデシルジメチルベンジルアンモニウムクロライド一水化物、ジメチルジデシルアンモニウムクロライド、およびＮ−アルキル（Ｃ12〜14）ジメチル１−ナフチルメチルアンモニウムクロライドのようなアルキルおよびベンジル四級化合物などのカチオン界面活性剤である。
抗菌剤が存在する場合、抗菌剤は、要求される作用を提供するのに実質的に必要な濃度を有していなければならない。一般に、潤滑剤濃縮物では、抗菌剤の濃度は、約０．１から１０重量％、好ましくは約１から８重量％、最も好ましくは約２から６重量％の範囲であり得る。
Ｅ．補助剤
本発明の潤滑剤濃縮物および潤滑剤用溶液はまた、上記の組成物の特性または性質を改変するための１つまたはそれ以上の補助剤を含み得る。代表的な補助剤としては、特に、粘度調整剤、汚物再堆積防止剤、防腐剤、染料、芳香剤、発泡防止剤、汚物懸濁および可溶化剤、ならびに浸透剤が挙げられる。
調製
本発明の潤滑剤用溶液は、潤滑剤濃縮物として調製され得る。潤滑剤濃縮物は、後に希釈され、所定の用途に用いられる。一般に、潤滑剤濃縮物は、アミン化合物の濃度に応じて約１０から１０，０００倍に希釈され、潤滑剤用溶液を提供し得る。以下の表は、本発明の組成物の様々な濃度のガイドラインを示す。
0004065031.tif 000005
実施例
以下の実施例は、本発明の様々な性質、特性および例示的な実施態様を示す。しかし、これらの実施例は、請求の範囲に記載される発明の限定として解釈されるものではない。
実施例１
非中和組成物および中和対照の調製
エーテルアミンおよびエトキシ化界面活性剤を攪拌しながら水に添加することによって組成物１〜７を調製した。相分離によって明らかなように、組成物３におけるエーテルアミンは界面活性剤によって十分に溶解しなかった。アミンに対する界面活性剤の比を高くし、この組成物を組成物７として再び調製した。この組成物では相分離は起こらなかった。
組成物１、２および４〜７については、ｐＨは１１を超えていた。これは、アミンが中和状態ではないことを示している。通常、１０個より多くの炭素のアルキル基を有する中和されていない飽和アルキルアミンは水に不溶性である。これらの組成物の水溶性を界面活性剤による結合によって成し遂げた。
組成物８および９は、酢酸で中和された比較例を示す。組成物８および９では、エーテルアミンを酢酸中和により可溶化し、洗浄性を得るために界面活性剤を含ませた組成物８および９の組成のｐＨは７．０〜７．５であった。
0004065031.tif 000006
0004065031.tif 000007
本実施例は、アルキルエーテルアミンが、エトキシ化非イオン界面活性剤を含む種々の界面活性剤を用いて水性組成物に可溶化され得ることを示している。
実施例２
潤滑性
水道水で０．５重量％に希釈することによって、潤滑剤用溶液６Ｄおよび１０Ｄ（「Ｄ」は希釈物を示す）を、潤滑剤濃縮物６Ｃおよび１０Ｃ（「Ｃ」は濃縮物を示す）から（実施例１における調製と同様に）調製した。
滑り性の測定
潤滑剤用溶液６Ｄおよび１０Ｄを、直径が２０．５ｃｍの研磨したステンレス鋼プレートの周辺に沿って流した。プレートを電気モータに接続し、電源を投入した時点で均一な速度で回転させた。１８９ｇｍのガラスディスクをロードセルに取り付け、潤滑剤用溶液６Ｄおよび１０Ｄで湿らせたプレートの領域に置いた。電気モータに電源が投入されると、ディスクはプレート上で自由に滑走した。ガラスディスクとステンレス鋼プレートとの間の抵抗（drag）をロードセルによって検出し、チャート式記録計に転送した。
テスト方法の精度を確実にするために、標準的な脂肪酸潤滑剤用溶液からの抵抗をトライアル走行の前後で測定し、得られた値に１．００の摩擦係数を任意に割り当てた。各トライアル走行を脂肪酸潤滑剤用溶液の試験と比較し、結果を相対摩擦係数（COF）として報告した。COFが低ければ低いほど、潤滑性は良好であった。
対照として用いた調製物は、以下を含む脂肪酸潤滑剤濃縮物であった。
0004065031.tif 000008
およびこの組成物のCOFは以下のとおりであった。
0004065031.tif 000009
1２００ｐｐｍのNaHCO3を添加した蒸留水において０．１重量％で調製物をテストした。
0004065031.tif 000010
潤滑剤用溶液６Ｄは、酸性汚物の不在下でも存在下であっても優れた潤滑性を示した。これは、潤滑剤濃縮物におけるアミン種の中和ではなく、溶解によってｐＨが中性からアルカリ性になったためと思われる。
上記の明細書、実施例およびデータは、本発明の組成物の製造および使用に関して完全な説明を提供している。本発明の多くの実施態様は、本発明の精神および範囲を逸脱せずになされ得るので、本発明は、以下に添付する請求の範囲に記載される。